【事件の表示】
　特願２００３−４３２３９１号「マッサージ装置」拒絶査定不服審判事件〔平成１６年　５月１３日出願公開、特開２００４−１３６１１３号〕について、次のとおり審決する。
【結　論】
　本件審判の請求は、成り立たない。
【理　由】
１．手続の経緯・本願発明  
　本願は、平成８年４月５日に出願した特願平０８−１１０１６１号の一部を平成１５年１２月２６日に新たな特許出願としたものであって、平成１６年１１月１９日付けで拒絶理由通知がなされ、これに対し、平成１７年１月２５日付けで手続補正がなされ、平成１７年３月１８日付けで拒絶査定がなされ、平成１７年４月２７日に拒絶査定不服審判の請求がなされたものであり、その請求項１に係る発明（以下、「本願発明」という。）は、平成１７年１月２５日付けの手続補正書で補正された明細書の特許請求の範囲の請求項１に記載された事項により特定される次のとおりのものである。  
「マッサージを受ける人が着座する座部の前側に、足裏をマッサージ可能な足裏マッサージ部を備え、該足裏マッサージ部と座部を、脚の延出方向に沿って凹入した形状のエアーマッサージ部を介して回動自在に連結するとともに、該エアーマッサージ部により上記足裏マッサージ部を床面より浮いた状態に支持可能とし、足裏のマッサージ時に、エアーマッサージ部の凹入部内で脚が下と横から包まれる状態となり、エアーマッサージ部が空気圧によるマッサージを行うことを特徴とすることを特徴とするマッサージ装置。」  
　  
２．引用文献  
　これに対して、原査定の拒絶の理由に引用された、本願出願前に頒布された刊行物である特開平８−８０２３０号公報（以下、「引用刊行物１」という。）には、図面とともに次の事項が記載されている。  
(ア)「腰掛ける者の臀部を支える着座部と、該着座部を支持する台枠と、鉄道車両の床面に固定され当該腰掛け全体を支持する脚台と、台枠を脚台に対し回転可能に接合する回転機構とを備える鉄道車両用回転式腰掛けにおいて、当該腰掛けに腰掛ける者の脚を支持するフットレストを備え、上記台枠が、上記着座部を直接支持する台枠上部と、該台枠上部の下方に配されて上記回転機構に直接支持される台枠下部と、該台枠下部と上記台枠上部とに挟持されて該両者間に、上記フットレストを格納するための空間である収納部を確保する枠壁とからなり、上記フットレストを使用しないときには、該フットレストを上記収納部に格納可能であることを特徴とする鉄道車両用回転式腰掛け。」（特許請求の範囲の請求項１）  
(イ)「本発明は、鉄道車両の客車に設置される鉄道車両用回転式腰掛けに関する。」（段落【０００１】）  
(ウ)「かかる目的を達成するためになされた本発明の請求項１に記載の発明は、腰掛ける者の臀部を支える着座部と、該着座部を支持する台枠と、鉄道車両の床面に固定され当該腰掛け全体を支持する脚台と、台枠を脚台に対し回転可能に両者を接合する回転機構とを備える鉄道車両用回転式腰掛けにおいて、当該腰掛けに腰掛ける者の脚を支持するフットレストを備え、上記台枠が、上記着座部を直接支持する台枠上部と、該台枠上部の下方に配されて上記回転機構に直接支持される台枠下部と、該台枠下部と上記台枠上部とに挟持されて該両者間に、上記フットレストを格納するための空間である収納部を確保する枠壁とからなり、上記フットレストを使用しないときには、該フットレストを上記収納部に格納可能であることを特徴とする。」（段落【０００８】） 
(エ)「このように構成された本発明の請求項１に記載の鉄道車両用回転式腰掛け（以下、単に腰掛けという）及び該腰掛けに備えられたフットレストを使用する際には、自席の着座部の下方にある台枠上部，台枠下部，枠壁により形成された収納部に格納されているフットレストを取り出して設置する。使用を中止するときには、フットレストを収納部に格納する。」（段落【００１２】） 
(オ)「この腰掛けによれば、フットレストが自席の収納部に格納されているため、フットレストの出し入れによって前の腰掛けに座っている人に不快感を与えることがないだけでなく、収納部に収まる範囲でフットレストを厚くすることができるため、フットレストの意匠の自由度が増え、例えば、脚部が当接する面に柔らかいマットレスを用いたり、人間工学的に疲労の少ない形状にしたりすることにより、安息効果の高いフットレストを設けることができる。更にこのフットレストにヒーター、マッサージ機等を内蔵させ、快適性を高めることも同じ理由により容易になる。また、前方の腰掛けを１８０°回転させて当該腰掛けと対向させても、フットレストを使用することができる。当然のことながら、フットレストを収納部に格納すれば、フットレストのない腰掛けとして使用することができる。」（段落【００１３】） 
(カ)「この腰掛けによれば、請求項１に記載の腰掛けの効果に加え、フットレストの移動を原動機の動力にて行なうため、身体障害者・子供・老人でも該操作を容易に行なうことができる。従い、たとえ、上記のようにフットレストにヒータやマッサージ機構を内蔵させて重量が増加しても、使い勝手が悪くなることがない。」（段落【００１５】） 
(キ)「なお、図１（ａ）にはふくらはぎが脚支持部１１ａから浮いているような図になっているが、背ずり１７の角度を変えたり腰掛ける姿勢を変えたりすれば、脚支持部１１ａにてふくらはぎを支えることも可能である。図１（ａ）のような、足裏支持部１１ｂと脚支持部１１ａのなす角が略９０°にされた状態からフットレスト１１を格納するときには、まず、足裏支持部１１ｂを脚支持部１１ａに重合させ、それからスイッチ４９を操作する。すると、上記ロック機構が再び解除され、サーボモータ４１が上記とは逆方向に軸を回転させる。以下、設置時と逆の動作を各部が行ない、フットレスト１１は図５（ａ）に示したような状態に戻される。すると設置時と同様に、サーボモータ４１の始動前に解除されたロック機構が再び作動し、フットレスト１１が固定され、格納が完了しサーボモータ４１は作動を停止する。」（段落【００３８】） 
(ク)「また、フットレスト１１は足裏支持部１１ｂ、脚支持部１１ａという二つの部材から構成され、足裏支持部１１ｂを脚支持部１１ａに対して重合したり起こしたりすることにより、ふくらはぎ、足の裏等、使用者の疲労状態や好みに合せた部分を安息させることができる。」（段落【００４０】）
(ケ)「以上、腰掛け１について説明してきたが、本発明は上記実施例に限定されるものではなく、様々な態様で実施し得る。例えば、格納スペースが有効利用できることにより増したフットレストの意匠の自由度を生かして、脚部が当接する面に柔らかいマットレスを用いたり、人間工学的に疲労の少ない形状にしたりすることもできる。このフットレストにヒーター、マッサージ機等を内蔵させ、快適性を高めることも同じ理由により容易になり、更に安息効果の高いフットレストとすることができる。」（段落【００４２】）(コ) 図１には、着座部１３の前側に、足裏を支持可能な足裏支持部１１ｂを備え、足裏支持部１１ｂと着座部１３を、脚支持部１１ａを介して回動自在に連結するとともに、脚支持部１１ａにより足裏支持部１１ｂを床面より浮いた状態に支持可能とした点が図示されている。
　したがって、引用刊行物１には、  
「腰掛ける者の臀部を支える着座部の前側に、足裏を支持可能な足裏支持部を備え、足裏支持部と着座部を、脚支持部を介して回動自在に連結するとともに、脚支持部により足裏支持部を床面より浮いた状態に支持可能とし、足裏支持部、脚支持部という二つの部材からフットレストを構成し、このフットレストにマッサージ機を内蔵させたマッサージ機内蔵腰掛け。」の発明（以下、「引用発明」という。）が記載されているものと認められる。  
　  
　また、原査定の拒絶の理由に引用された、本願出願前に頒布された刊行物である特開平５−３１７３７６号公報（以下、「引用刊行物２」という。）には、図面とともに次の事項が記載されている。  
(サ)「基台と、この基台に設けたマット受けと、このマット受け上に載置したマットとを備え、前記マット受けは、水平姿勢と立上り姿勢との間で回動自在の背もたれ部と、前記水平姿勢の背もたれ部と略水平の上昇姿勢と下降姿勢との間で移動自在の足元部とからなるベッドであって、前記マットにバイブレータを内蔵したことを特徴とするバイブレータ付ベッド。」（特許請求の範囲の請求項１）  
(シ)「この発明は、病人や寝たきり老人のためのベッドであって、寝る姿勢と座る姿勢のいずれの形態でも使用できるバイブレータ付ベッドに関するものである。」（段落【０００１】）  
(ス)「この発明の一実施例を図１ないし図４に示す。図において、１０は基台、１１はマット受け、１２はマットである。マット受け１１は、上から順に１段目１３，２段目１４，３段目１５，４段目１６と、４段に分割されており、１段目１３は背もたれ部、３段目１５と４段目１６にて足元部１７を構成している。」（段落【０００８】） 
(セ)「さらに、図１に示すように、マット単体１８，１９，２０，２１には、バイブレータ２２，２３，２４，２５が内蔵されている。バイブレータ２２〜２５は、それぞれ図４に示すように、マット１２に内蔵したモータ２６と、モータ２６によって振動する振動板２７にて構成されている。各バイブレータ２２〜２５の振動板２７は、背中，腰，ふくらはぎ，足に接する位置に設けられている。」（段落【００１２】）
　
３．対比及び判断                      
　そこで、本願発明と引用発明とを対比すると、各文言の意味、機能又は作用からみて、後者における「マッサージ機内蔵腰掛け」は前者における「マッサージ装置」に相当し、以下同様に、「腰掛ける者の臀部を支える着座部」は「マッサージを受ける人が着座する座部」に、及び「着座部」は「座部」に、それぞれ相当すると認められる。  
　また、後者における「足裏支持部」は、前者の「足裏マッサージ部」と「足裏を支持する足裏支持部」の点で共通する。
　また、後者における「脚支持部」は、前者の「エアーマッサージ部」と「脚を支持する脚支持部」の点で共通する。    
　したがって、両者は、  
「マッサージを受ける人が着座する座部の前側に、足裏を支持可能な足裏支持部を備え、該足裏支持部と座部を、脚支持部を介して回動自在に連結するとともに、脚支持部により足裏支持部を床面より浮いた状態に支持可能としたマッサージ装置。」  
の点で一致し、以下の点で相違する。  
　相違点１：本願発明においては、足裏をマッサージ可能な足裏マッサージ部を備え、該足裏マッサージ部と座部を、マッサージ部を介して回動自在に連結し、足裏マッサージ時に脚マッサージを同時に行うようにしているのに対して、引用発明においては、フットレストにマッサージ機がどのように配置されているかが不明である点。  
　相違点２：本願発明においては、脚の延出方向に沿って凹入した形状のエアーマッサージ部の凹入部内で脚が下と横から包まれる状態となり、エアーマッサージ部が空気圧によるマッサージを行うようにしているのに対して、引用発明においては、そのような構成を備えていない点。  
　そこで、上記相違点について検討する。  
　相違点１について　 
　足裏をマッサージ可能な足裏マッサージ部を備え、該足裏マッサージ部と座部を、マッサージ部を介して回動自在に連結し、足裏マッサージ時に脚マッサージを同時に行うようにしている点は、引用刊行物２に記載されているように公知であり、引用発明のマッサージ機に該公知技術を適用して上記相違点１に係る本願発明の発明特定事項とすることは、当業者であれば容易に想到し得る事項である。 
　相違点２ついて 
　脚の延出方向に沿って凹入した形状のエアーマッサージ部の凹入部内で脚が下と横から包まれる状態となり、エアーマッサージ部が空気圧によるマッサージを行うようにしている点は本願出願前にマッサージ機の分野で周知技術（例えば、特開平８−５２１８３号公報、特開昭５７−１３４１６１号公報を参照）であることから、引用発明のマッサージ機に該周知技術を適用して上記相違点２に係る本願発明の発明特定事項とすることは、当業者であれば容易に想到し得ることである。  
　また、本願発明の効果は、引用発明及び引用刊行物２に記載された発明並びに上記周知技術から当業者が予測し得る範囲内のものというべきであって，格別のものということはできない。  
　  
４．むすび  
　したがって、本願発明は、引用発明及び引用刊行物２に記載された発明並びに上記周知技術に基いて当業者が容易に発明をすることができたものであるので、特許法第２９条第２項の規定により特許を受けることができない。  
　よって、結論のとおり審決する。